(57)【要約】【課題】展開時においても表示体を確実に支持する構造を有した表示装置を提供する。【解決手段】本発明の表示装置は、筐体４と、平面視において突出した突出部５ａ及び突出部５ｂを備えるディスプレイユニット（可撓性表示体）３とを備える。そして、筐体４は、突出部５ａを摺動可能に支持するディスプレイ摺動面（支持摺動部）１２ｃ及び１３ｃと、突出部５ｂを摺動可能に支持するディスプレイ摺動面（支持摺動部）１２ｄ及び１３ｄとを備える。さらに筐体４は、展開状態に応じてディスプレイユニット（可撓性表示体）３を収容可能に構成された、本体側表ケース１９及び本体側裏ケース２０を含む収容部を備える。【選択図】図４
2011221189.tif 000002
【特許請求の範囲】
【請求項１】
筐体と、
平面視において突出した第１突出部及び第２突出部を備える可撓性表示体と、を備え、
前記筐体は、
前記第１突出部を摺動可能に支持する第１支持摺動部と、
前記第２突出部を摺動可能に支持する第２支持摺動部と、
前記可撓性表示体を収容可能に構成された収容部と、を備える、
表示装置。
【請求項２】
前記筐体は、
前記可撓性表示体の第１端を湾曲させながら摺動可能に案内する第１湾曲摺動溝部と、
前記可撓性表示体の第２端を湾曲させながら摺動可能に案内する第２湾曲摺動溝部と、がさらに設けられた、
請求項１に記載の表示装置。
【請求項３】
前記第１湾曲摺動溝部及び第２湾曲摺動溝部は互いに同じ曲率を有し、前記第１湾曲摺動溝部の曲率及び第２湾曲摺動溝部の曲率は徐々に変化する、
請求項２に記載の表示装置。
【請求項４】
前記第１湾曲摺動溝部には前記可撓性表示体の前記第１端を挟持する球が設けられ、
前記第２湾曲摺動溝部には前記可撓性表示体の前記第２端を挟持する球が設けられた、
請求項２または３に記載の表示装置。
【請求項５】
前記筐体のうち前記可撓性表示体と接触する部分と、前記可撓性表示体のうち前記筐体と接触する部分と、のうちの少なくとも一方が、超高分子量ポリエチレン、フッ素樹脂、またはポリアセタールにより形成されている、
請求項１乃至３のいずれか１項に記載の表示装置。
【請求項６】
前記筐体のうち前記可撓性表示体と接触する部分の表面と、前記可撓性表示体のうち前記筐体と接触する部分の表面と、のうちの少なくとも一方に、超高分子量ポリエチレン、フッ素樹脂、またはポリアセタールが設けられている、
請求項１乃至３のいずれか１項に記載の表示装置。
【発明の詳細な説明】
【技術分野】
【０００１】
本発明の一態様は表示装置に関し、特に、外力による耐性を高めた構成の表示装置に関する。
【背景技術】
【０００２】
近年、プラスチックやステンレスなどの可撓性を有する板状の材料にトランジスタ素子が形成された薄膜トランジスタ基板が研究開発されている。この薄膜トランジスタ基板は、有機ＥＬ装置や電気泳動粒子などの可撓性表示体を用いたフラットパネルディスプレイ製品に応用されてきている。可撓性表示体を用いたフラットディスプレイパネル製品は、落下や押圧による力が加わった場合でも、可撓性を生かして変形することによって、破壊されることを防止できる。そのため、従来の剛直な表示体を保護する構造を廃した筐体の実現が期待されている。また、可撓性表示体を巻き取ったり折り畳んだりすることが可能であれば、この製品を使用しないときはコンパクトに収容可能であり、可搬性の向上なども期待できる。例えば、下記特許文献１によれば、フレキシブルディスプレイを用いて屈曲可能な構成の図面表示装置が開示されている。また、下記特許文献２によれば、巻き取りまたは折り畳み可能なディスプレイを設け、ディスプレイを格納可能にすることで装置の小型化を図りつつ、必要なときには大きなサイズに展開して使用可能なカメラが開示されている。また、下記特許文献３によれば、折り畳みまたは伸縮可能な構造の筐体を有する画像表示端末が開示されている。
【先行技術文献】
【特許文献】
【０００３】
【特許文献１】特開２００９−１６３６３７号公報
【特許文献２】特開２００３−２５００７４号公報
【特許文献３】特開平１０−２０７３８９号公報
【発明の概要】
【発明が解決しようとする課題】
【０００４】
しかし、上記の従来の装置における表示体に想定以上の大きな外力が加わったり、曲げ半径が許容範囲を超えたりした場合、表示体が破壊されたり永久変形を起こしたりすることがあった。このため、現実的には外力から表示体を保護する構造や、曲げられることを抑制する構造が必要となり、ユーザーが望むような製品が実現されているとは言い難かった。例えば、上記特許文献３では、表示体が筐体に固定されているのは上下端部のみであり、折り畳み構造では表示体の中央部が弾性変形することを利用しているため、中央部には表示体を保護または支持する構造を付加できない。また、表示体の折り曲げ時の曲率を規定し、予期しない外力から表示体を保護することもできない。さらに、伸縮構造では筐体が二重構造になっているため、展開時に外側（上側）の筐体の部分の表示体を支持することができない。
【課題を解決するための手段】
【０００５】
上記課題を解決するために、本発明の一態様の表示装置では、筐体と、平面視において突出した第１突出部及び第２突出部を備える可撓性表示体と、を備え、前記筐体は、前記第１突出部を摺動可能に支持する第１支持摺動部と、前記第２突出部を摺動可能に支持する第２支持摺動部と、前記可撓性表示体を収容可能に構成された収容部と、を備える。
【０００６】
かかる構成の表示装置によれば、筐体が可撓性表示体の第１突出部及び第２突出部を支持可能な構成としているため、展開した状態でも可撓性表示体を確実に支持することができる。これによって、可撓性表示体の外力に対する耐性を高めることができる。
【０００７】
また、前記筐体は、前記可撓性表示体の第１端を湾曲させながら摺動可能に案内する第１湾曲摺動溝部と、前記可撓性表示体の第２端を湾曲させながら摺動可能に案内する第２湾曲摺動溝部と、がさらに設けられていることが好ましい。
【０００８】
かかる構成によれば、可撓性表示体を所定の設計曲率で湾曲させながら摺動させ、収容することができるため、想定される曲率を超えて曲げられることを防止することができる。ひいては、表示体が破壊または永久変形してしまうことを防止することができる。
【０００９】
さらに、前記第１湾曲摺動溝部及び第２湾曲摺動溝部は互いに同じ曲率を有し、前記第１湾曲摺動溝部の曲率及び第２湾曲摺動溝部の曲率は徐々に変化するよう構成されていることが好ましい。
【００１０】
かかる構成によれば、可撓性表示体が第１湾曲摺動溝部及び第２湾曲摺動溝部を摺動する際の曲率の変化をなだらかにすることができる。これによって、可撓性表示体の摺動をより滑らかにし、かつ可撓性表示体への湾曲による負荷を軽減することができる。
【００１１】
また、前記第１湾曲摺動溝部には前記可撓性表示体の前記第１端を挟持する球が設けられ、前記第２湾曲摺動溝部には前記可撓性表示体の前記第２端を挟持する球が設けられた構成としてもよい。
【００１２】
かかる構成によれば、可撓性表示体が第１湾曲摺動溝部及び第２湾曲摺動溝部を摺動する際に、より滑らかに摺動させることが可能となる。
【００１３】
また、前記筐体のうち前記可撓性表示体と接触する部分と、前記可撓性表示体のうち前記筐体と接触する部分と、のうちの少なくとも一方が、超高分子量ポリエチレン、フッ素樹脂、またはポリアセタールより形成されてもよい。
【００１４】
あるいは、前記筐体のうち前記可撓性表示体と接触する部分の表面と、前記可撓性表示体のうち前記筐体と接触する部分の表面と、のうちの少なくとも一方に、超高分子量ポリエチレン、フッ素樹脂、またはポリアセタールが設けられた構成にしてもよい。
【００１５】
かかる構成によれば、可撓性表示体が第１湾曲摺動溝部及び第２湾曲摺動溝部を摺動する際に、より滑らかに摺動させることが可能となる。
【図面の簡単な説明】
【００１６】
【図１】ディスプレイユニットが展開された状態の表示装置の外観を示す斜視図。
【図２】ディスプレイユニットが収納された状態の表示装置の外観を示す斜視図。
【図３】ディスプレイユニットの斜視図。
【図４】表示装置の内部構造を示す斜視図。
【図５】Ｄの箇所での表示装置の断面図。
【図６】Ａ及びＢの箇所での表示装置の断面図。
【図７】Ｅの箇所での表示装置の断面図。
【図８】Ｆの箇所での表示装置の断面図。
【図９】実施形態２におけるＣの箇所での表示装置の断面図。
【図１０】実施形態２におけるＧの箇所で表示装置を平面視した図。
【図１１】実施形態２におけるＨの箇所での表示装置の断面図。
【図１２】実施形態３の第１構成例におけるＡの箇所での表示装置の断面図。
【図１３】実施形態３の第２構成例におけるＡの箇所での表示装置の断面図。
【図１４】実施形態４における表示装置を平面視した図。
【発明を実施するための形態】
【００１７】
本発明に係る実施形態について、以下の構成に従って、図面を参照しながら具体的に説明する。ただし、以下で説明する実施形態はあくまで本発明の一例に過ぎず、本発明の技術的範囲を限定するものではない。なお、各図面において、同一の要素には同一の符号を付しており、その説明を省略する場合がある。
１．実施形態１
２．実施形態２
３．実施形態３
４．実施形態４
５．本発明の適用可能性
【００１８】
＜１．実施形態１＞
本発明の実施形態１における表示装置の構成について、図面を参照しながら説明する。
【００１９】
図１及び図２は、本実施形態１の表示装置の外観であって、図１は可撓性表示体であるディスプレイユニット３が展開された状態を示す図、図２は可撓性表示体であるディスプレイユニット３が収納された状態を示す図である。
【００２０】
図１に示されるように、表示装置１は外観において、ディスプレイユニット３及び筐体４を含んで構成される。ディスプレイユニット３は、図１及び図２において点線で示された、画像や文字等を表示可能な表示領域２を有している。図１及び図２に示されるように、ディスプレイユニット３は図面右側に引き出すことによって展開可能である。ディスプレイユニット３及び筐体４の詳細な構成については後述する。
【００２１】
図３は、筐体４から取り外した状態のディスプレイユニット３を示す図である。特に、図３（Ａ）は組み立てられた状態のディスプレイユニット３の外観を、図３（Ｂ）は分解された状態のディスプレイユニット３を構成する要素について示している。
【００２２】
図３（Ｂ）に示されるように、ディスプレイユニット３はディスプレイパネル５、突出部（「切欠部」とも呼ぶ。）５ａ及び突出部５ｂ、ＦＰＣ（フレキシブルプリント基板）６、可動側中フレーム７、可動側上フレーム８、可動側下フレーム９、格納側上フレーム１０、並びに格納側下フレーム１１を含んで構成される。なお、突出部５ａは本発明における第１突出部であり、突出部５ｂは本発明における第２突出部である。
【００２３】
ディスプレイパネル５は、例えば有機ＥＬまたは電気泳動粒子などを利用して可撓性材料によって構成された表示部であって、画像や文字等を表示可能な表示領域２を備える。ディスプレイパネル５は、平面視において展開方向と垂直な方向（以下、「縦方向」とも呼ぶ。）の両端部に、それぞれ突出部５ａ及び５ｂが設けられている。突出部５ａ及び５ｂは、ディスプレイパネル５から互いに逆方向に突出している。
【００２４】
ＦＰＣ６は、ＡＣＦ（異方性導電フィルム。図示せず。）によってディスプレイパネル５に接続されており、ディスプレイパネル５を駆動する駆動回路（図示せず。）とディスプレイパネル５とを電気的に接続するよう構成される。
【００２５】
可動側中フレーム７は、ディスプレイパネル５の突出部５ａ及び５ｂが設けられた箇所より図面右側においてディスプレイパネル５に固定されている。言い換えれば、表示装置１が使用されるときにディスプレイユニット３が筐体から引き出される部分において、ディスプレイパネル５に固定されている。可動側中フレーム７はＦＰＣ６をこの可動側中フレームの裏側に誘導する機能をも有しており、ＦＰＣ６は可動側中フレーム７と後述する可動側下フレーム９とに挟まれている。
【００２６】
ディスプレイパネル５、ＦＰＣ６、及び可動側中フレーム７は、可動側上フレーム８及び可動側下フレーム９によって挟み込まれる形で固定される。可動側上フレーム８には突起部８ａ及び８ｂが、可動側下フレーム９には突起部９ａ及び９ｂが設けられている。これらの突起部８ａ、８ｂ、９ａ、及び９ｂは、ディスプレイパネル５の突出部５ａ及び５ｂが設けられた箇所より図面左側の部分と比較して、平面視縦方向において小さくなるよう形成されている。言い換えれば、突起部８ａ、突起部８ｂ、突起部９ａ、及び突起部９ｂは、表示装置１が使用されるときにもディスプレイユニット３が筐体４の内部に収納されている部分におけるディスプレイユニット３の平面視縦方向の大きさよりも、可動側上フレーム８および可動側下フレーム９が小さくなるように形成されている。
【００２７】
また、格納側上フレーム１０、及び格納側下フレーム１１は、ディスプレイパネル５における展開方向と逆方向の端部を挟むように構成されている。なお、図３（Ｂ）では位置決めなどの目的で、ディスプレイパネル５のうちの格納側上フレーム１０及び格納側下フレーム１１によって挟まれる部分に突出部（切欠部）が設けられている。ただし、この構成に限定されるものでもなく、例えば、必ずしも格納側上フレーム１０と格納側下フレーム１１とが分離された状態で構成されている必要はない。すなわち、格納側上フレーム１０と格納側下フレーム１１とは一体な構成であってもよい。
【００２８】
図４は、表示装置１の内部構造を示す図である。特に、図４（Ａ）は組み立てられた状態のディスプレイユニット３及び筐体４の内部構造を示しており、図４（Ｂ）は分解されたディスプレイユニット３及び筐体４を構成する要素を示している。図５は、図４（Ａ）における一点鎖線Ｄの部分で見た断面図である。
【００２９】
図４（Ｂ）に示されるように、筐体４は固定側上フレーム１２、固定側下フレーム１３、上ガイドフレーム１４、及び下ガイドフレーム１５を含んで構成される。
【００３０】
図３（Ｂ）で示した突起部８ａ及び９ａによって形成される突起部３ａ、図３（Ｂ）で示した突起部８ｂ及び９ｂによって形成される突起部３ｂ、図４（Ｂ）の固定側上フレーム１２の突起部１２ａ及び１２ｂ、並びに図４（Ｂ）の固定側下フレーム１３の突起部１３ａ及び１３ｂ、は、ディスプレイユニット３を引き出して展開する際のストッパーとして機能するよう構成される。
【００３１】
図５にも示されるように、可動側上フレーム８及び可動側下フレーム９は、それぞれ固定側上フレーム１２及び固定側下フレーム１３によって支持される。また、図４（Ｂ）に示されるように、ディスプレイパネル５の平面視縦方向の端部５ｃ及び５ｄは、突起部３ａ及び３ｂよりも平面視縦方向に突出している。さらに、図５にも示されるように、ディスプレイパネル５の端部５ｃは、固定側上フレーム１２のディスプレイ摺動面１２ｃと固定側下フレーム１３のディスプレイ摺動面１３ｃとによって挟持され、ディスプレイパネル５の端部５ｄは、固定側上フレーム１２のディスプレイ摺動面１２ｄと固定側下フレーム１３のディスプレイ摺動面１３ｄとによって挟持されている。すなわち、ディスプレイ摺動面１２ｃ及びディスプレイ摺動面１３ｃは、図３（Ｂ）に示した突出部５ａを摺動可能に支持し、ディスプレイ摺動面１２ｄ及びディスプレイ摺動面１３ｄは突出部５ｂを摺動可能に支持するものである。なお、ディスプレイ摺動面１２ｃとディスプレイ摺動面１３ｃは本発明の第１支持摺動部を構成し、ディスプレイ摺動面１２ｄとディスプレイ摺動面１３ｄは本発明の第２支持摺動部を構成する。
【００３２】
案内溝１４ａ及び１５ａは、それぞれディスプレイパネル５の湾曲部５ｅ及び５ｆを支持するよう、上ガイドフレーム１４及び下ガイドフレーム１５に設けられており、ディスプレイパネル５の直線部分と、この直線部分に接する円弧を中心線としている。言い換えれば、案内溝１４ａ及び１５ａは、ディスプレイパネル５における縦方向の上端及び下端を、それぞれ湾曲させながら摺動可能に案内するように設けられている。なお、案内溝１４ａは本発明の第２湾曲摺動溝部であり、案内溝１５ａは本発明の第１湾曲摺動溝部である。
【００３３】
固定側上フレーム１２及び固定側下フレーム１３の端部は、上ガイドフレーム１４の接続部１４ｂ、及び下ガイドフレーム１５の接続部１５ｂに固定される。
【００３４】
図６（Ａ）は図１に示した表示装置１を一点鎖線Ａの部分で見た断面図、図６（Ｂ）は図２に示した表示装置１を一点鎖線Ｂの部分で見た断面図である。図７は、図６（Ａ）を一点鎖線Ｅの部分で見た断面図である。図８は、図６（Ｂ）を一点鎖線Ｆの位置で見た断面図である。
【００３５】
センターフレーム１６は、表示装置の視認面（図６（Ａ）の下側）から見て固定側下フレーム１３の背面に位置しており、固定側下フレーム１３及び回路基板１７を保持するよう構成される。
【００３６】
回路基板１７は、ディスプレイパネル５を駆動する回路を含んで構成されており、コネクタ１８を備えている。コネクタ１８は、図４（Ｂ）に示した固定側下フレーム１３の切欠部１３ｅを通って配されたＦＰＣ６を介して、ディスプレイパネル５に電気的に接続されている。図６（Ａ）に示すように、コネクタ１８をディスプレイユニット３のストロークの中央付近に配すれば、ディスプレイユニット３が収納状態にあっても展開状態にあっても、ＦＰＣ６が筐体４から突出したり他の部品と干渉したりしないようにすることができる。
【００３７】
なお、図４（Ａ）及び（Ｂ）の構造に、図６（Ａ）及び（Ｂ）で示した本体側表ケース１９、本体側裏ケース２０、可動側表ケース２１、可動側裏ケース２２を組み付けたものが、図１及び図２で示した表示装置１になる。本体側表ケース１９及び本体側裏ケース２０は、展開の状態に応じてディスプレイユニット３を収容可能に構成されている。
【００３８】
なお、ここで説明した表示装置では、本体側裏ケース２０にガイドレール２０ａが設けてられている。このガイドレール２０ａが設けられていることで、格納側上フレーム１０及び格納側下フレーム１１がディスプレイユニット３の展開状態にあわせてスムーズに摺動可能にされている。
【００３９】
すなわち、上記本実施形態１の表示装置は、筐体４と、平面視において突出した突出部５ａ及び突出部５ｂを備えるディスプレイユニット（可撓性表示体）３とを備える。そして、筐体４は、突出部５ａを摺動可能に支持するディスプレイ摺動面（支持摺動部）１２ｃ及び１３ｃと、突出部５ｂを摺動可能に支持するディスプレイ摺動面（支持摺動部）１２ｄ及び１３ｄとを備える。さらに筐体４は、展開状態に応じてディスプレイユニット（可撓性表示体）３を収容可能に構成された、本体側表ケース１９及び本体側裏ケース２０を含む収容部を備える。
【００４０】
かかる構成の表示装置によれば、筐体４がディスプレイユニット３の突出部５ａ及び突出部５ｂを支持可能な構成としているため、展開した状態でもディスプレイユニット３を確実に支持することができる。これによって、ディスプレイユニット３の外力に対する耐性を高めることができる。
【００４１】
さらに、筐体４には、ディスプレイユニット（可撓性表示体）３の第１端（端部５ｄ）を湾曲させながら摺動可能に案内する案内溝（湾曲摺動溝部）１４ａと、ディスプレイユニット（可撓性表示体）３の第２端（端部５ｃ）を湾曲させながら摺動可能に案内する案内溝１５ａ（湾曲摺動溝部）とが設けられている。
【００４２】
かかる構成によれば、ディスプレイユニット３を所定の設計曲率で湾曲させながら摺動させ、収容することができるため、想定される曲率を超えて曲げられることを防止することができる。
【００４３】
なお、筐体４のうちディスプレイユニット（可撓性表示体）３と接触する部分が、超高分子量ポリエチレン、フッ素樹脂、またはポリアセタールなどの摩擦係数の低い材料により形成されると好ましい。たとえば、上ガイドフレーム１４、下ガイドフレーム１５、ガイドレール２０ａ、格納側上フレーム１０、格納側下フレーム１１、固定側上フレーム１２、及び固定側下フレーム１３などの摺動部分が、前記の摩擦係数の低い材料により形成されると好ましい。特に、ディスプレイ摺動面１２ｃ、１２ｄ、１３ｃ、及び１３ｄ（支持摺動部）、または案内溝１４ａ及び１５ａ（湾曲摺動溝部）の少なくとも一方が、前記の摩擦係数の低い材料により形成されると好ましい。
【００４４】
あるいは、筐体４のうちディスプレイユニット（可撓性表示体）３と接触する部分の表面に上記の摩擦係数の低い材料を設けることも好ましい。
【００４５】
あるいは、ディスプレイユニット（可撓性表示体）３の表面のうち筐体４と接触する部分に、ディスプレイパネル５の可撓性を著しく損なわない程度に上記の摩擦係数の低い材料を貼り合わせたりコーティングしたりしてもよい。たとえば、ディスプレイユニット（可撓性表示体）３の表面のうち、ディスプレイ摺動面１２ｃ、１２ｄ、１３ｃ、及び１３ｄ、並びに案内溝１４ａ及び１５ａと接触する部分、すなわち第１端（端部５ｄ）と第２端（端部５ｃ）に、ディスプレイパネル５の可撓性を著しく損なわない程度に上記の摩擦係数の低い材料を貼り合わせたりコーティングしたりしてもよい。
【００４６】
あるいは、ディスプレイユニット（可撓性表示体）３のうち筐体４と接触する部分が前記の摩擦係数の低い材料により形成されていてもよい。
【００４７】
かかる構成によれば、ディスプレイユニット３と筐体４との間の摺動部分における摩擦が減少するため、より滑らかな摺動が可能となる。また、摩擦に起因してディスプレイユニット３や筐体４が破損されることを防止することができる。
【００４８】
＜２．実施形態２＞
次に、本発明の実施形態２における表示装置の構成について、図面を参照しながら説明する。本実施形態２の表示装置は、外観において実施形態１に示した表示装置と同様であるが、内部構造が異なる。以下の本実施形態２に関する説明において、実施形態１と同様の部分については説明を省略する。
【００４９】
図９は、本実施形態２における表示装置の構成を示す断面図である。この断面図は、図１の一点鎖線Ｃの部分で見たものである。図１０は、図９を一点鎖線Ｇの部分から平面視した図である。図１１は、図１０を一点鎖線Ｈの部分から見た断面図である。本実施形態２における表示装置は、実施形態１の筐体４に設けられていたガイドレール２０ａ（図６参照）が設けられておらず、これに代えて筐体４のセンターフレーム１６にガイドレール１６ａ及び１６ｂが、ディスプレイユニット３の格納側上フレーム１０にガイドシュー１０ａ及び１０ｂが設けられている。
【００５０】
すなわち、本実施形態２の表示装置では、上記のガイドシュー１０ａがガイドレール１６ａに係合支持され、ガイドシュー１０ｂがガイドレール１６ｂに係合支持されることで、ディスプレイユニット３が所定の軌道で案内されつつ摺動されることができる。
【００５１】
なお、実施形態１と同様に、ガイドレール１６ａ及び１６ｂ、並びにガイドシュー１０ａ及び１０ｂなどが、超高分子量ポリエチレン、フッ素樹脂、またはポリアセタールなどの摩擦係数の低い材料により形成されると好ましい。あるいは、ガイドレール１６ａ及び１６ｂ、並びにガイドシュー１０ａ及び１０ｂなどの表面に上記の摩擦係数の低い材料を設けることも好ましい。
【００５２】
＜３．実施形態３＞
次に、本発明の実施形態３における表示装置の構成について、図面を参照しながら説明する。本実施形態３の表示装置は、実施形態２と同様に外観において実施形態１に示した表示装置と同様であるが、内部構造が異なる。以下の本実施形態３に関する説明において、実施形態１と同様の部分については説明を省略する。
【００５３】
図１２は、本実施形態３における表示装置の第１の構成例を示す断面図である。この断面図は、図１の一点鎖線Ａの部分で見たものであり、実施形態１における図６（Ａ）に対応している。図１２に示す本実施形態３の表示装置は、実施形態１における上ガイドフレーム１４及び下ガイドフレーム１５に代えて、上ガイドフレーム５１及び下ガイドフレーム５２を用いたものであり、案内溝の構成に特徴を有している。
【００５４】
具体的には、本実施形態３における上ガイドフレーム５１及び下ガイドフレーム５２は、それぞれ曲率が徐々に変化する緩和曲面を有する案内溝（湾曲摺動溝部）５１ａ及び５２ａが設けられている。このような案内溝（湾曲摺動溝部）５１ａ及び５２ａが設けられたことで、本実施形態３にかかる表示装置は実施形態１にかかる表示装置と比較して、ディスプレイユニット（可撓性表示体）３が展開または収納される際の曲率の変化が緩やかになり、滑らかに摺動させることができる。これにより、ディスプレイユニット３（可撓性表示体）への湾曲による負荷を軽減することができる。
【００５５】
次に、図１３は、本実施形態３における表示装置の第２の構成例を示す図である。この断面図も、図１の一点鎖線Ａの部分で見たものであり、実施形態１における図６（Ａ）に対応している。図１３に示す本実施形態３の表示装置は、実施形態１における上ガイドフレーム１４及び下ガイドフレーム１５に代えて、上ガイドフレーム６１及び下ガイドフレーム６２を用いたものであり、案内溝の構成に特徴を有している。
【００５６】
具体的には、本実施形態３における上ガイドフレーム６１及び下ガイドフレーム６２は、それぞれディスプレイユニット（可撓性表示体）３を複数の球（または、「ベアリングボール」とも呼ぶ。）６３によって挟持するよう構成されている。これによって、ディスプレイユニット（可撓性表示体）３が案内溝（湾曲摺動溝部）６１ａ及び６２ａを摺動する際に、より滑らかに摺動させることが可能となる。
【００５７】
＜４．実施形態４＞
次に、本発明の実施形態４における表示装置について、図面を参照しながら説明する。本実施形態４の表示装置は、表示部であるディスプレイパネル５の表示が、ディスプレイユニット３の展開収納状態によって変化される点に特徴を有する。
【００５８】
図１４（Ａ）及び（Ｂ）は、本実施形態４における表示装置の構成を示す図である。図１４（Ａ）は、ディスプレイユニット３が完全に展開された状態の表示装置１を示し、図１４（Ｂ）はディスプレイユニット３が部分的に収納された状態の表示装置１を示している。図１４（Ａ）及び（Ｂ）から見られるように、ディスプレイユニット３の展開収納状態によってユーザーが視認できる表示領域２は変化する。そこで、ディスプレイユニット３のディスプレイパネル５の表示を制御する駆動回路（図示せず）は、ディスプレイユニット３の展開収納状態を検出し、この展開収納状態に応じてディスプレイパネル５の表示を制御可能に構成される。より具体的には、ディスプレイユニット３が展開された場合にはディスプレイパネル５における表示幅を広げ、ディスプレイユニット３が収納された場合にはディスプレイパネル５における表示幅を狭めるよう、駆動回路がディスプレイパネル５を制御する。すなわち、図１４（Ａ）及び（Ｂ）において点線で示した本来の表示領域２のうちユーザーが視認可能な領域を実質的な表示領域として設定する。これによって、駆動すべきディスプレイパネル５の部分を適切な範囲にすることができ、ひいては無駄な電力の消費を無くし、より高速な表示が可能となる。
【００５９】
＜５．本発明の適用可能性＞
上記本発明の各実施形態は、いずれも本発明の一形態に過ぎず、本発明はこれらの実施形態に限定されるのみならず、これらの実施形態から当業者が考え得るものをも含むものである。
【００６０】
なお、本発明は、上記各実施形態に記載の表示装置を備えた、例えば電子ブックなどの各種電子機器にも適用可能であり、これらの電子機器も本発明の範囲に含まれる。
【００６１】
また、実施形態においてはディスプレイパネル５を構成する可撓性表示部として有機ＥＬまたは電気泳動粒子を利用したものを挙げたが、これらはあくまで一例に過ぎず、上記以外の可撓性表示部をも含むものである。
【符号の説明】
【００６２】
３……ディスプレイユニット、３ａ・３ｂ……突起部、４……筐体、５……ディスプレイパネル、５ａ・５ｂ……突出部、５ｃ・５ｄ……端部、５ｅ・５ｆ……湾曲部、６……ＦＰＣ、７……可動側中フレーム、８……可動側上フレーム、８ａ・８ｂ……突起部、９……可動側下フレーム、９ａ……突起部、１０……格納側上フレーム、１０ａ……ガイドシュー、１１……格納側下フレーム、１２……固定側上フレーム、１３……固定側下フレーム、１２ａ・１２ｂ・１３ａ・１３ｂ……突起部、１２ｃ・１２ｄ・１３ｃ・１３ｄ……ディスプレイ摺動面、１３ｅ……切欠部、１４……上ガイドフレーム、１５……下ガイドフレーム、１４ａ・１５ａ……案内溝、１４ｂ・１５ｂ……接続部、１６……センターフレーム、１６ａ……ガイドレール、１７……回路基板、１８……コネクタ、１９……本体側表ケース、２０……本体側裏ケース、２０ａ……ガイドレール、２１……可動側表ケース、２２……可動側裏ケース、５１……上ガイドフレーム、５２……下ガイドフレーム、６１……上ガイドフレーム、６２……下ガイドフレーム
【図１】
2011221189.tif 000003
【図２】
2011221189.tif 000004
【図３】
2011221189.tif 000005
【図４】
2011221189.tif 000006
【図５】
2011221189.tif 000007
【図６】
2011221189.tif 000008
【図７】
2011221189.tif 000009
【図８】
2011221189.tif 000010
【図９】
2011221189.tif 000011
【図１０】
2011221189.tif 000012
【図１１】
2011221189.tif 000013
【図１２】
2011221189.tif 000014
【図１３】
2011221189.tif 000015
【図１４】
2011221189.tif 000016